(57)【特許請求の範囲】
【請求項１】
上面が開放した中空なボックスと、
前記ボックスの開放上面を開閉するリッドと、
前記リッドを開放方向に付勢するための付勢手段と、
前記付勢手段の付勢力に抗して前記リッドを閉位置にロックするための解除可能なロック手段と、
前記付勢手段の付勢力を制動するための制動手段とを備える小物収納装置において、
前記ボックスとリッドとの間には、
前記リッドの開閉動作時の第１の回転中心と、
前記開閉動作に連続して、前記リッドを下降させるための引き込み動作時の第２の回転中心とを備え、
前記制動手段は、
回転ダンパーのダンパー軸に連結されるギアと、
前記ギアがかみ合うラックとから構成されている小物収納装置において、
前記ラックには、
前記第１の回転中心を中心とする第１の円弧面と、
前記第１の円弧面に連続し、前記第２の回転中心を中心とする第２の円弧面とを備えていることを特徴とする小物収納装置。
【発明の詳細な説明】
【０００１】
【発明の属する技術分野】
この発明は、小物収納装置に関し、付勢手段の付勢力により、リッドが回転しながら下降して開放するようにしたものであり、リッドの開放動作の全域で回転ダンパーのダンパー効果が得られるようにしたものである。
【０００２】
【従来の技術】
従来、小物収納装置としては、次のような公報が知られている。
（１）実開平6-69002号公報、「車両用の小物収納装置」
上記考案は、リッドが、付勢手段の付勢力により、回転しながら下降して開放するようにしたものである。
【０００３】
上記付勢手段の付勢力を制動するために回転ダンパーが使用されていた。
上記リッドが回転する際には、回転ダンパーのダンパー効果が得られたが、リッドが下降する際には、回転ダンパーが連結されたリッドの軸が回転しないため、ダンパー効果が得られなかった。
（２）特開平10-278656号公報、「ドア及びカップホルダーの開閉機構」
上記発明は、リッドが、付勢手段の付勢力により、回転しながら開放するようにしたものであり、リッドは下降しない。
【０００４】
上記付勢手段の付勢力を制動するために回転ダンパーが使用されていた。
上記回転ダンパーは、ボックス側に固定され、リッド側には回転ダンパーのギアにかみ合うラックが固定されていた。
【０００５】
【発明が解決しようとする課題】
しかし、上記した従来の「車両用の小物収納装置」（実開平6-69002号公報）では、リッドが下降する際に、回転ダンパーのダンパー効果が得られないという問題点があった。
そこで、各請求項にそれぞれ記載された各発明は、上記した従来の技術の有する問題点に鑑みてなされたものであり、その目的とするところは、次の点にある。
（請求項１）
すなわち、請求項１に記載の発明は、リッドの開放動作の全域において、回転ダンパーのダンパー効果が得ることができるようにしたものである。
【０００６】
【課題を解決するための手段】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
【０００７】
また、図面番号も、発明の実施の形態において用いた図番を示し、本発明の技術的範囲を限定するものではない。
（請求項１）
請求項１に記載の発明は、次の点を特徴とする。
第一に、小物収納装置(10)には、例えば図１〜２に示すように、次の構成を備える。
【０００８】
（１）ボックス(20)
ボックス(20)は、例えば図２に示すように、上面が開放した中空なものである。
（２）リッド(30)
リッド(30)は、例えば図１に示すように、ボックス(20)の開放上面(22)を開閉するものである。
【０００９】
（３）付勢手段(40)
付勢手段(40)は、リッド(30)を開放方向に付勢するためのものである。
（４）ロック手段(50)
ロック手段(50)は、例えば図１に示すように、付勢手段(40)の付勢力に抗してリッド(30)を閉位置にロックするための解除可能なものである。
【００１０】
（４）制動手段(60)
制動手段(60)は、付勢手段(40)の付勢力を制動するためのものである。
第二に、ボックス(20)とリッド(30)との間には、例えば図１に示すように、次の構成を備える。
（５）第１の回転中心(c)
第１の回転中心(c)は、例えば図１及び図６に示すように、リッド(30)の開閉動作時のものである。
【００１１】
（６）第２の回転中心(d)
第２の回転中心(d)は、例えば図１及び図７に示すように、開閉動作に連続して、リッド(30)を下降させるための引き込み動作時のものである。
第三に、制動手段(60)は、例えば図１〜２に示すように、次の構成から構成されている。
【００１２】
（７）ギア(131)
ギア(131)は、回転ダンパー(130)のダンパー軸に連結されるものである。
（８）ラック(140)
ラック(140)は、例えば図１〜２に示すように、ギア(131)がかみ合うものである。
【００１３】
第四に、ラック(140)には、例えば図１〜２に示すように、次の構成を備える。
（９）第１の円弧面(141)
第１の円弧面(141)は、例えば図１に示すように、第１の回転中心(c)を中心とするものである。
【００１４】
（１０）第２の円弧面(142)
第２の円弧面(142)は、例えば図１に示すように、第１の円弧面(141)に連続し、第２の回転中心(d)を中心とするものである。
【００１５】
【発明の実施の形態】
（図面の説明）
図１〜７は、本発明の実施の形態の一例をそれぞれ示すものである。
図１は、リッドの開閉を説明するための小物収納装置の側面図、図２は小物収納装置の分解斜視図、図３はリッドの開放状態を示す小物収納装置の正面図、図４はリッドの開放状態を示す小物収納装置の平面図、図５は図１に対応し、同図はリッドの閉状態を示す小物収納装置の側面図、図６は図１に対応し、同図はリッドの開放途中を示す小物収納装置の側面図、図７は図１に対応し、同図はリッドの開放状態を示す小物収納装置の側面図をそれぞれ示すものである。
（小物収納装置10）
図中、10は、小物収納装置を示すものである。
【００１６】
小物収納装置10は、図示しないが、車室内に固定される。
また、小物収納装置10は、図示しないが、飲料、硬貨、カード等の小物を収納できる。飲料は、缶、パック、カップ、ビン、ペットボトル等に入れられた状態で、小物収納装置10内に収納でき、カップホルダーとして使用できる。
なお、小物収納装置10の取付位置は、車室内に限定されず、航空機、船舶、或いは家具等に固定しても良い。
【００１７】
小物収納装置10は、図１〜２に示すように、大別すると、次のパーツを備える。
（１）ボックス20
（２）リッド30
（３）付勢手段40
（４）ロック手段50
（５）制動手段60
なお、小物収納装置10のパーツは、上記した（１）〜（５）に限定されない。
（ボックス20）
ボックス20は、図１〜２に示すように、上面が開放した中空な箱形を成している。
【００１８】
ボックス20内には、図２に示すように、次のパーツを備える。
なお、ボックス20のパーツは、次の（１）〜（３）に限定されない。
（１）仕切壁21
仕切壁21は、図２に示すように、ボックス20の内部を左右に仕切るものである。
【００１９】
（２）小物押さえ装置70
小物押さえ装置70には、図２に示すように、左右一対の押さえ板71,71、左右の各押さえ板71を水平方向にそれぞれ付勢する押さえばね72,72を備える。
（３）防振ゴム80
防振ゴム80は、図２に示すように、ボックス20の手前側の左右両端部にそれぞれ取り付けられている。
（リッド30）
リッド30は、図１に示すように、ボックス20の開放上面22を開閉するものである。
【００２０】
リッド30には、図２に示すように、左右両端部からボックス20に向かって延びる左右一対のアーム部31,31を有する。左右のアーム部31には、ブラケット90をそれぞれ固定して補強している。
（開閉支持装置100）
左右のアーム部31とボックス20との間には、図１〜２に示すように、開閉支持装置100を取り付け、リッド30がボックス20に対して回転しながら下降して開放するように支持している。
【００２１】
開閉支持装置100には、図２に示すように、次のパーツを備える。
なお、開閉支持装置100のパーツは、次の（１）〜（４）に限定されない。
（１）第１の軸101
第１の軸101は、図２に示すように、左右のアーム部31にそれぞれ固定され、左右のブラケット90をそれぞれ貫通して、ボックス20に向かって相対向して突出している。
【００２２】
（２）第２の軸102
第２の軸102は、図２に示すように、第１の軸101から離れて位置し、左右のアーム部31の先端側に位置している。第２の軸102は、第１の軸101と同様に、左右のアーム部31にそれぞれ固定され、左右のブラケット90をそれぞれ貫通して、ボックス20に向かって相対向して突出している。
【００２３】
（３）第１の案内溝103
第１の案内溝103は、図２に示すように、ボックス20の左右の外側面にそれぞれ設けられ、第１の軸101をスライド可能に支持するものである。具体的には、第１の案内溝103は、上下に長く円弧状に延びている。
（４）第２の案内溝104
第２の案内溝104は、図２に示すように、ボックス20の左右の外側面にそれぞれ設けられ、第１の案内溝103と独立し、第２の軸102をスライド可能に支持するものである。具体的には、第２の案内溝104は、第１の案内溝103から下方に離れて位置し、左右に長く円弧状に延びている。
【００２４】
より具体的には、第２の案内溝104は、左右に長く円弧状に延びる回転部105と、回転部105に連続し、下方に向かってＬ字形に延びる下降部106とを有する。
（開閉支持装置100の動作）
つづけて、上記構成を備える開閉支持装置100の動作について、説明する。
開閉支持装置100は、図１に示すように、次の２つの動作を有する。
【００２５】
（１）リッド30の開閉動作（軌跡ａ）
（２）リッド30の引き込み動作（軌跡ｂ）
（リッド30の開閉動作）
閉位置のリッド30が開く際には、図１に示すように、リッド30は、第１の軸101を中心に回転し、軌跡ａを辿る。
【００２６】
すなわち、第１の軸101は、図５〜６に示すように、第１の案内溝103の上端部に位置して回転する。このため、第１の軸101は、リッド30の開閉動作時には、第１の回転中心ｃとなる。
このとき、第２の軸102は、図５〜６に示すように、第２の案内溝104の左右に長く円弧状に延びる回転部105に沿って横にスライドする。
（リッド30の引き込み動作）
リッド30が、図１に示すように、開閉動作位置から更に開く際には、リッド30は、第２の回転中心ｄを中心に回転し、軌跡ｂを辿る。このとき、リッド30は、回転しながら下降して、ボックス20の背面側に引き込まれる。
【００２７】
すなわち、第１の軸101は、図７に示すように、第１の案内溝103に沿って下降する。
このとき、第２の軸102は、図７に示すように、第２の案内溝104の回転部105に連続する下降部106に沿って下降する。
このため、軌跡ｂの第２の回転中心ｄは、図７に示すように、仮想点となる。
【００２８】
第１の回転中心ｃを中心とするリッド30の開閉動作時の回転半径と、第２の回転中心ｄを中心とするリッド30の引き込み動作時の回転半径とを、図１に示すように、略同一に設定している。
（付勢手段40）
付勢手段40は、リッド30を開放方向に付勢するためのものである。
【００２９】
具体的には、付勢手段40は、図２に示すように、開放スプリング41から構成されている。
開放スプリング41は、図１〜２に示すように、中央のリング部がボックス20の左右の外側面にそれぞれ支持され、その一端部がボックス20に、他端部がリッド30の左右のアーム部31にそれぞれ固定される。その結果、開放スプリング41の復元力により、リッド30が開放方向に付勢される。
【００３０】
なお、付勢手段40は、開放スプリング41に限定されず、板ばね等を使用しても良い。
（ロック手段50）
ロック手段50は、付勢手段40の付勢力、すなわち開放スプリング41の復元力に抗してリッド30を閉位置にロックするための解除可能なものである。
【００３１】
具体的には、ロック手段50には、図２に示すように、次のパーツを備える。
ロック手段50のパーツは、次の（１）〜（２）に限定されない。
（１）ロックピン110
ロックピン110は、図２に示すように、ロックアーム111の一端部に固定されている。
【００３２】
ロックアーム111は、図２に示すように、長さの途中がボックス20の外側面に揺動可能に支持され、他端部には、ウエイト112が固定されている。そして、ロックアーム111は、ロックスプリング113を介して、ロックピン110が後述するカム溝120をトレースするように付勢されている。
（２）カム溝120
カム溝120は、図２に示すように、リッド30のアーム部31の先端部の外側面に設けられ、ロックピン110がはまり込むものである。
【００３３】
具体的には、カム溝120は、図２に示すように、ハート型に形成され、リッド30の閉位置において、ロックピン110をロックするとともに、リッド30が閉位置から更に押し込まれた際に、ロックピン110のロック状態を解除する機能がある。
なお、ロックピン110をボックス20側に設け、カム溝120をリッド30側に設けたが、逆にロックピン110をリッド30側に設け、カム溝120をボックス20側に設けても良い。
【００３４】
また、ロック手段50は、ロックピン110とカム溝120とに限定されない。
（制動手段60）
制動手段60は、付勢手段40の付勢力、すなわち開放スプリング41の復元力を制動するためのものである。
具体的には、付勢手段40には、図２に示すように、次のパーツを備える。
【００３５】
（１）回転ダンパー130
（２）ラック140
（回転ダンパー130）
回転ダンパー130には、図２に示すように、そのダンパー軸に連結されるギア131を有する。
【００３６】
具体的には、回転ダンパー130は、オイル式のものが使用され、リッド30のアーム部31に固定され、そのギア131はブラケット90を貫通して、ボックス20に向かって突出している。
なお、回転ダンパー130は、オイル式のものに限定されず、機械式等でも良い。
【００３７】
また、ギア131を回転ダンパー130のダンパー軸に直結したが、ギアボックス等を介してギア131に連結しても良い。
（ラック140）
ラック140は、図５〜７に示すように、回転ダンパー130のギア131がかみ合うものである。
【００３８】
具体的には、ラック140は、図２に示すように、ギア131にかみ合う歯が、扇型の内周面に沿って設けられている。
ラック140には、図２に示すように、次の２つの円弧面を備える。
（１）第１の円弧面141
第１の円弧面141は、図２に示すように、第１の回転中心ｃ、すなわち第１の軸101を中心とするものである。
【００３９】
（２）第２の円弧面142
第２の円弧面142は、図２に示すように、第１の円弧面141に連続し、仮想点である第２の回転中心ｄを中心とするものである。
（小物収納装置10の開閉動作）
上記した構成を備える小物収納装置10の開閉動作について、以下に説明する。
【００４０】
図５に示すように、閉じているリッド30を開くには、リッド30をボックス20に向かって少し押し下げれば良い。
リッド30が押し下げられると、ロック手段50のロック状態が解除され、図６に示すように、リッド30は、付勢手段40の付勢力、すなわち開放スプリング41の復元力により、第１の回転中心ｃとしての第１の軸101を中心に上方に回転しながら開く。
【００４１】
このとき、回転ダンパー130のギア131が、図５〜６に示すように、第１の回転中心ｃ、すなわち第１の軸101を中心として形成された、ラック140の第１の円弧面141に沿って回転する。このとき、回転ダンパー130の制動力が発生し、リッド30は、ゆっくりと且つ静粛に開放する。
さらに、リッド30が開くと、図７に示すように、リッド30は、仮想点である第２の回転中心ｄを中心に回転しながら下降する。
【００４２】
このとき、回転ダンパー130のギア131が、図６〜７に示すように、第２の回転中心ｄ、すなわち第２の軸102を中心として形成された、ラック140の第２の円弧面142に沿って回転する。このとき、回転ダンパー130の制動力が発生し、リッド30は、ゆっくりと且つ静粛に下降しながら開放する。
一方、図７に示すように、開放したリッド30を閉じるには、リッド30の先端部を斜め下向きに押せば良い。
【００４３】
リッド30は、図６に示すように、仮想点である第２の回転中心ｄを中心に回転しながら上昇し、その後、図５に示すように、第１の回転中心ｃとしての第１の軸101を中心に下方に回転しながら閉じる。
リッド30は、図５に示すように、ロック手段50により閉位置にロックされる。
【００４４】
【発明の効果】
本発明は、以上のように構成されているので、以下に記載されるような効果を奏する。
（請求項１）
請求項１に記載の発明によれば、次のような効果を奏する。
【００４５】
すなわち、請求項１に記載の発明によれば、リッドの開放動作の全域において、回転ダンパーのダンパー効果を得ることができる。
【図面の簡単な説明】
【図１】  リッドの開閉を説明するための小物収納装置の側面図である。
【図２】  小物収納装置の分解斜視図である。
【図３】  リッドの開放状態を示す小物収納装置の正面図である。
【図４】  リッドの開放状態を示す小物収納装置の平面図である。
【図５】  図１に対応し、同図はリッドの閉状態を示す小物収納装置の側面図である。
【図６】  図１に対応し、同図はリッドの開放途中を示す小物収納装置の側面図である。
【図７】  図１に対応し、同図はリッドの開放状態を示す小物収納装置の側面図である。
【符号の説明】
10  小物収納装置          20  ボックス
21  仕切壁                22  開放上面
30  リッド                31  アーム部
40  付勢手段              41  開放スプリング
50  ロック手段            60  制動手段
70  小物押さえ装置        71  押さえ板
72  押さえばね            80  防振ゴム
90  ブラケット           100  開閉支持装置
101  第１の軸             102  第２の軸
103  第１の案内溝         104  第２の案内溝
105  回転部               106  下降部
110  ロックピン           111  ロックアーム
112  ウエイト             113  ロックスプリング
120  カム溝               130  回転ダンパー
131  ギア                 140  ラック
141  第１の円弧面         142  第２の円弧面
ａ  リッドの開閉動作時の軌跡
ｂ  リッドの引き込み動作時の軌跡
ｃ  第１の回転中心        ｄ  第２の回転中心
【図１】
0003900259.tif 000002
【図２】
0003900259.tif 000003
【図３】
0003900259.tif 000004
【図４】
0003900259.tif 000005
【図５】
0003900259.tif 000006
【図６】
0003900259.tif 000007
【図７】
0003900259.tif 000008